(57)【要約】【課題】枠側コネクタと盤側コネクタとによる相互の通電可能な接続を確保する。【解決手段】遊技盤３０の左側部がａ図に示すように前方に向けられた盤支持体８に嵌め込まれるに伴い、盤側コネクタ３３が枠側コネクタ２１に嵌め込まれる場合、コネクタ取付部１５が撓み、枠側コネクタ２１が盤側コネクタ３３と嵌合する方向と逆の方向に逃げるが、その後、遊技盤３０が後方に押されて盤支持体８のヒンジ１３の上下方向に延びる軸心を中心として矢印Ｘ１で示すように後方に回転し、骨格受止部２２がｂ図に示すように枠補強体９の板部２０の端面に接触し、枠補強体９が骨格受止部２２を経由してコネクタ取付部１５を経由し盤側コネクタ３３の方向に押し返し、この押し返す力をコネクタ取付部３２が負担し、枠側コネクタ２１と盤側コネクタ３３とによる相互の通電可能な接続が確保される。【選択図】図１
2009077853.tif 000002
【特許請求の範囲】
【請求項１】
可動枠の盤収容室における盤支持体が可動枠の前方に回転され、遊技盤の左側部が可動枠の前方から内部に挿入され、遊技盤の盤側係合部が盤支持体の枠側係合部に上方から嵌め込まれたまま、遊技盤が枠側係合部と盤側係合部との嵌合部分を中心として下方に回転され、盤支持体の枠側コネクタと遊技盤の盤側コネクタとが互いに嵌め合わされた後、遊技盤が盤支持体を中心として前方から後方に回転して盤収納室に収容されるパチンコ遊技機の遊技盤取付装置において、盤収容室の盤支持体よりも左側部には枠補強体が設けられ、盤支持体には骨格受止部が設けられ、遊技盤の右側部が前方から後方に押されて盤収納室に固定される場合に、枠補強体と骨格受止部とが互いに接触したことを特徴とするパチンコ遊技機の遊技盤取付装置。
【発明の詳細な説明】
【技術分野】
【０００１】
本発明は、枠側コネクタと盤側コネクタとによる相互の通電可能な接続が確保されるパチンコ遊技機の遊技盤取付装置に関する。
【背景技術】
【０００２】
図５は、特許文献１で開示されたパチンコ遊技機の遊技盤取付装置を示す。図５において、盤支持体８が可動枠３の前方に向くように回転され、遊技盤３０の左側部が可動枠３の前方から内部に挿入され、盤側係合部３１が枠側係合部１４に上方から嵌め込まれたまま、遊技盤３０が枠側係合部１４と盤側係合部３１との嵌合部分を中心として下方に回転され、枠側コネクタ２１と盤側コネクタ３３とが互いに嵌め合わされた後、遊技盤３０が前方から後方に押されて盤収容室６に固定される。しかしながら、枠側コネクタ２１が盤側コネクタ３３と嵌合する方向と逆の方向に逃げて、枠側コネクタ２１と盤側コネクタ３３とによる相互の通電可能な接続が悪くなるという欠点がある。
【特許文献１】特開２００６−１６７１８３号公報
【発明の開示】
【発明が解決しようとする課題】
【０００３】
発明が解決しようとする問題点は、枠側コネクタと盤側コネクタとによる相互の通電可能な接続が悪くなるという点である。
【課題を解決するための手段】
【０００４】
本発明に係るパチンコ遊技機の遊技盤取付装置は、可動枠の盤収容室における盤支持体が可動枠の前方に回転され、遊技盤の左側部が可動枠の前方から内部に挿入され、遊技盤の盤側係合部が盤支持体の枠側係合部に上方から嵌め込まれたまま、遊技盤が枠側係合部と盤側係合部との嵌合部分を中心として下方に回転され、盤支持体の枠側コネクタと遊技盤の盤側コネクタとが互いに嵌め合わされた後、遊技盤が盤支持体を中心として前方から後方に回転しつつ盤収容室に収容されるパチンコ遊技機の遊技盤取付装置において、盤収容室の盤支持体よりも左側部には枠補強体が設けられ、盤支持体には骨格受止部が設けられ、遊技盤の右側部が前方から後方に押されて盤収容室に固定される場合に、枠補強体と骨格受止部とが互いに接触したことを最も主要な特徴とする。
【発明の効果】
【０００５】
本発明に係るパチンコ遊技機の遊技盤取付装置は遊技盤が盤支持体を中心として前方から後方に回転しつつ盤収容室に収容される場合に、枠補強体と骨格受止部とが互いに接触して、枠側コネクタと盤側コネクタとによる相互の通電可能な接続が確保されるという利点がある。
【発明を実施するための最良の形態】
【０００６】
図１のａ図は、枠側コネクタ２１と盤側コネクタ３３とが互いに嵌め合わされた断面を示す。図１のｂ図は、枠補強体９と骨格受止部２２とが互いに接触した断面を示す。図２は、パチンコ遊技機の遊技盤取付装置を示す。図３は、可動枠３の枠側コネクタ２１の周りの後側を示す。本明細書において、「前」、「後」、「左」、「右」、「上」、「下」の方向は、図２の状態に遊技機枠１および遊技盤３０を置いて矢印Ｓで示す前方から見た場合に特定される方向である。
【０００７】
図２および図３を参照し、パチンコ遊技機の遊技盤取付装置の構造について説明する。図２に示すように、パチンコ遊技機の遊技盤取付装置は、可動枠３に遊技盤３０を取り付けたり取り外したりするための装置であって、枠補強体９が可動枠３に設けられ、骨格受止部２２が盤支持体８に設けられ、遊技盤３０が前方から後方に押されて盤支持体８のヒンジ１３を中心として回転するのに伴い、枠補強体９と骨格受止部２２とが互いに接触して枠側コネクタ２１と盤側コネクタ３３とによる相互の通電可能な接続を保持する構造が、図５の従来例と異なる。
【０００８】
遊技機枠１は、固定枠２の前部に可動枠３を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、左側部に位置するヒンジ４を中心とし、固定枠２の前部において前方に開かれかつ後方に閉じられるように片開き可能な前枠とも呼ばれる。可動枠３には、発射機構５、盤収容室６、中央開口部７、盤支持体８、枠補強体９、盤ロック機構１０、上扉１１、下扉１２などが設けられる。盤収容室６は、前方に開口し、前後方向に奥行の有る箱形に構成される。中央開口部７は、盤収容室６の背壁に前後方向への貫通孔として形成される。
【０００９】
盤支持体８は、盤収容室６の左側部にヒンジ１３の上下方向に延びる軸心を中心として前後方向に回転可能に取り付けられ、枠側係合部１４およびコネクタ取付部１５を備える。具体的には、盤支持体８は、ヒンジ１３で盤収容室６に回転可能に取り付けられる縦長な基部１６を備え、基部１６の上部から片側に上腕部１７を突出し、上腕部１７の上縁部に枠側係合部１４を上方から下方への窪みとして備え、基部１６の下部にコネクタ取付部１５および下腕部１８を備える。下腕部１８は、遊技盤３０の左下部を受容するものであって、コネクタ取付部１５よりも下部から上腕部１７と同じ方向に突出する。コネクタ取付部１５は、基部１６から後側に突出した板状に設けられる。基部１６の板面が前方に向けられた場合にはコネクタ取付部１５の板面も前方を向き、基部１６の板面が右側に向けられた場合にはコネクタ取付部１５の板面も右側を向くように、基部１６の板面とコネクタ取付部１５の板面とが互いに平行に設定される。
【００１０】
コネクタ取付部１５の板面が前側に向けられた場合におけるコネクタ取付部１５の前面には、枠側コネクタ２１がフローティング支持（遊動支持）される。つまり、図外の固着具の一端に設けられたねじ部が枠側コネクタ２１の取付孔からコネクタ取付部１５に取り付けられると、固着具の外周面と枠側コネクタ２１の取付孔との間に隙間が形成され、固着具の他端に設けられた頭部が枠側コネクタ２１をコネクタ取付部１５の前面と平行する方向に移動可能にかつコネクタ取付部１５の前面と直交する方向に移動しないように枠側コネクタ２１を支持する。これによって、固着具の外周面と枠側コネクタ２１の取付孔との間の隙間だけ、枠側コネクタ２１がコネクタ取付部１５の前面と平行する方向に移動し得るように、枠側コネクタ２１がコネクタ取付部１５の前面にフローティング支持される。コネクタ取付部１５の板面が前側に向けられた場合におけるコネクタ取付部１５の後面には、骨格受止部２２が後方に突出して設けられる。
【００１１】
図３に示すように、枠補強体９は、可動枠３が歪まないように補強する物体であって、鉄板を直角に折り曲げた一方の縦長な板部１９と他方の縦長な板部２０とを備え、盤収容室６の左側部の外側に取り付けられることによって、板部１９が盤収容室６の左側面に重ね合わされ、板部２０が盤収容室６の後面に重ね合わされる。
【００１２】
図２に戻り、盤ロック機構１０は、盤収容室６の右側部の背壁から前方に突出する台座の中心にロック操作部２３を回転可能に備える。ロック操作部２３は、台座から前方に突出した操作軸の前部に固定された横長な形態である。上扉１１は、可動枠３の前部に開閉可能に設けられ、左側に位置するヒンジ２４を中心とし、可動枠３の前で前方に開かれかつ後方に閉じられるように、片開き可能である。上扉１１には、窓２５、窓パネル２６などが設けられる。下扉１２は、可動枠３の前部に開閉可能に設けられ、左側に位置するヒンジ２７を中心とし、可動枠３の前で前方に開かれかつ後方に閉じられるように、片開き可能である。下扉１２の前部には、受皿２８、発射操作機構２９などが設けられる。上扉１１および下扉１２は、前扉として一体に構成されてもよい。
【００１３】
遊技盤３０の左側部には、盤側係合部３１およびコネクタ取付部３２などが設けられる。盤側係合部３１は、遊技盤３０の上部から前後方向に突出する棒を備える。コネクタ取付部３２は、遊技盤３０の後面と直交するように遊技盤３０の左側部から後方に突出する。コネクタ取付部３２の左面には、盤側コネクタ３３が固定される。遊技盤３０の右側部には、ロック受部３４が前後方向への貫通孔として設けられる。遊技盤３０の前面には、図外のガイドレールや発射通路が設けられる。遊技盤３０の前面のガイドレールで囲まれた部分には、アウト口３５や図外の入賞部品および遊技釘などの遊技部品が設けられる。
【００１４】
図１のａ図およびｂ図ならびに図２を参照し、遊技盤３０が遊技機枠１に取り付けられる場合について説明する。先ず、図２において、可動枠３が固定枠２に開閉不能に支持され、上扉１１が前方に開けられ、盤支持体８が可動枠３の前方に回転され、盤支持体８の上腕部１７および下腕部１８が盤収容室６から前方に突出するように、盤支持体８が停止される。その状態において、遊技盤３０の前面が左側に向けられ、遊技盤３０の左面が可動枠３の前面に対し斜めに向けられ、遊技盤３０の左側部が可動枠３に前方から挿入され、盤側係合部３１が枠側係合部１４に上方から嵌め込まれる。
【００１５】
次に、遊技盤３０が枠側係合部１４と盤側係合部３１との嵌合部分を中心として下方に回転されるのに伴い、遊技盤３０の左下部が下腕部１８に受容された後、図１のａ図に示すように、盤側コネクタ３３が枠側コネクタ２１に嵌め込まれる。このとき、盤側コネクタ３３は、枠側コネクタ２１をコネクタ取付部１５の前面と平行する方向に移動させつつ枠側コネクタ２１に嵌め込まれ、遊技盤３０の下縁部が盤収容室６の下縁部と平行になる。
【００１６】
引き続き、遊技盤３０が前方から後方に押されて盤支持体８のヒンジ１３の上下方向に延びる軸心を中心として後方に回転するのに伴い、図１のｂ図に示すように、骨格受止部２２が枠補強体９における板部２０の端面と対向する方向から当該端面に接触し、枠側コネクタ２１と盤側コネクタ３３とによる相互の通電可能な接続が確保されるという利点がある。その理由は、図１のａ図において、枠側コネクタ２１と盤側コネクタ３３とが互いに嵌め込まれる場合に、コネクタ取付部１５が矢印Ｘ１で示す方向に撓み、枠側コネクタ２１が盤側コネクタ３３と嵌合する方向と逆の方向に逃げる。そして、図１のｂ図において、骨格受止部２２が枠補強体９に接触し、枠補強体９が骨格受止部２２を経由してコネクタ取付部１５を矢印Ｘ１（図１のａ図参照）と逆の方向に押し返し、この押し返す力をコネクタ取付部３２が負担し、枠側コネクタ２１と盤側コネクタ３３とによる相互の通電可能な接続が確保されるからである。
【００１７】
図２に戻り、前記のように遊技盤３０が盤支持体８のヒンジ１３を中心として前方から後方に回転して盤収容室に収容されるのに伴い、ロック操作部２３がロック受部３４を経由して遊技盤３０の前方に突出する。その状態において、ロック操作部２３が例えば左方向に９０度回転され、ロック操作部２３が遊技盤３０におけるロック受部３４の周りの前面に係合し、遊技盤３０が盤収容室６に取り付けられる。その後、上扉１１が閉じられて可動枠３に開閉不能に支持され、パチンコ遊技機が構成される。このパチンコ遊技機では、窓パネル２６と遊技盤３０の前面との間における図外のガイドレールで囲まれた部分が遊技領域として構成される。この遊技領域は、発射機構５から発射された球の飛び交う空間であるとともに遊技機枠１の前方から窓２５および窓パネル２６を通して視認し得る空間である。
【産業上の利用可能性】
【００１８】
図４は、発明を実施するための異なる形態を示す。図４では、骨格受止部２２がコネクタ取付部１５から折り曲げられた構造が、最良の形態と異なる。
【００１９】
図２において、枠側コネクタ２１がコネクタ取付部１５に固定され、盤側コネクタ３３がコネクタ取付部３２にフローティング支持されてもよい。枠側コネクタ２１がコネクタ取付部１５に固定され、盤側コネクタ３３がコネクタ取付部３２に固定されてもよい。
【図面の簡単な説明】
【００２０】
【図１】ａ図は、枠側コネクタと盤側コネクタとが嵌合した断面図、ｂ図は、枠補強体と骨格受止部とが接触した断面図（最良の形態）。
【図２】パチンコ遊技機の遊技盤取付装置の斜視図（最良の形態）。
【図３】可動枠の一部背面の斜視図（最良の形態）。
【図４】骨格受止部の斜視図（異なる形態）。
【図５】パチンコ遊技機の遊技盤取付装置の斜視図（従来）。
【符号の説明】
【００２１】
１は遊技機枠、２は固定枠、３は可動枠、４はヒンジ、５は発射機構、６は盤収容室、７は中央開口部、８は盤支持体、９は枠補強体、１０は盤ロック機構、１１は上扉、１２は下扉、１３はヒンジ、１４は枠側係合部、１５はコネクタ取付部、１６は基部、１７は上腕部、１８は下腕部、１９は板部、２０は板部、２１は枠側コネクタ、２２は骨格受止部、２３はロック操作部、２４はヒンジ、２５は窓、２６は窓パネル、２７はヒンジ、２８は受皿、２９は発射操作機構、３０は遊技盤、３１は盤側係合部、３２はコネクタ取付部、３３は盤側コネクタ、３４はロック受部、３５はアウト口。
【図１】
2009077853.tif 000003
【図２】
2009077853.tif 000004
【図３】
2009077853.tif 000005
【図４】
2009077853.tif 000006
【図５】
2009077853.tif 000007